(57)【要約】【課題】  壁際でも無理なくセットすることができ、かつ、安定して作業をすることができるようにするとともに、サイズの異なる光キャビネットに取り付けることができ、また、作業台上の全面を使用することができる光ファイバーキャビネット用作業台を提供する。【解決手段】  光ファイバー用のキャビネットと、そのキャビネットを取り付けた壁面との間の隙間を利用して取り付ける着脱式の作業台について、キャビネット１１−１の背面と壁面Ｗとの間の上記隙間に挿し込まれる背面板１４と、背面板１４の左右にてキャビネット１１−１を取り囲むように設けられた側面板１５、１６とから成る取り付け枠１７を有し、作業台板２０を、ほぼ水平な使用位置と、使用位置から退避位置へ折り畳み可能に、取り付け枠１７に支軸２１により取り付け、上記取り付け枠１７の背面板１４に、少なくとも大小２種のキャビネット１１−１、１１−２と係合可能な２段の切り欠き部１３−１、１３−２を形成する。【選択図】          図６
0003120109.tif 000002
【実用新案登録請求の範囲】
【請求項１】
光ファイバー用のキャビネットと、そのキャビネットを取り付けた壁面との間の隙間を利用して取り付ける着脱式の作業台であって、キャビネットの背面と壁面との間の上記隙間に挿し込まれる背面板と、背面板の左右にてキャビネットを取り囲むように設けられた側面板とから成る取り付け枠を有し、作業台板を、ほぼ水平な使用位置と、使用位置から退避位置へ折り畳み可能に、取り付け枠に支軸により取り付け、上記取り付け枠の背面板に、少なくとも大小２種のキャビネットと係合可能な２段の切り欠き部を形成したことを特徴とする光ファイバーキャビネット用作業台。
【請求項２】
作業台板は、横方向の支軸により、同支軸に沿って左右方向へスライド可能に取り付け枠に取り付けられており、作業台板の後部が取り付け枠の前部に接した状態において、作業台板をほぼ水平な使用位置に保つように、作業台板に設けられた短アームを上記支軸に軸支した構成を有する請求項１記載の光ファイバーキャビネット用作業台。
【請求項３】
作業台板は、横方向の支軸により上方へ跳ね上げ可能に設けられ、かつ、跳ね上げ時に磁石により取り付け枠に固定される構成を有する請求項１又は２記載の光ファイバーキャビネット用作業台。
【考案の詳細な説明】
【技術分野】
【０００１】
本考案は、光ファイバー用のキャビネットとそのキャビネットを取り付けた壁面との間の隙間を利用して取り付ける着脱式の作業台に関するものである。
【背景技術】
【０００２】
例えば、光ファイバーの屋外部分と屋内部分を接続する箇所には、保安器或いはキャビネットなどと称する装置が設置されている。これらの装置を設けた箇所では、しばしば光ファイバーを接続する作業を行う必要があり、その接続作業時に、従来は、垂直な壁面を支えとしてきたが、それでは不安定となり、高い精度を要求される光ファイバーの接続には不安がある。
【０００３】
このため接続作業に用いる作業台を、保安器或いは光キャビネットを利用して取り付けるものが提供されている。その作業台は、片側基準で圧縮スプリングを使用しキャビネットの左右を挟み作業台を保持する構造である。しかし作業台の一部が本体から出っ張っているので、左右に壁があると作業台をセットできないことがある。また、その作業台はチェーンにより吊っている構造上、作業の邪魔になることも問題である。
【０００４】
これに対し、実用新案登録第３０４９６８０号の考案は、光キャビネットとそれを取り付けた壁面との間隙に、上方から係止される掛け金具を用いて取り付ける作業台を開示している。しかしこの作業台の場合、上記の掛け金具と、先端が壁面に支えられる突っ張り用の支持軸を有し、上下に位置調節可能に設けられているが、左右には殆ど調節できず、また、支持軸が作業台本体の先端を支える長さを有するためにとなり、力を入れる作業には不向きである。
【０００５】
また、特開２００３−１２１６６０号のものは、光キャビネットの函体に２本の平行なガイド軸を固定し、そのガイド軸にそって上下に移動できる作業テーブルを適宜位置で固定するものである。しかしこの発明のものは作業テーブルの取り付けに２本のガイド軸を必要とするため、部品点数が多くなるとともに構造的に脆弱になり勝ちである。
【０００６】
【特許文献１】実用新案登録第３０４９６８０号
【特許文献２】特開２００３−１２１６６０号
【考案の開示】
【考案が解決しようとする課題】
【０００７】
本考案は以上の点に着目して成されたもので、その課題は、壁際でも無理なくセットすることができ、かつ、安定して作業することができるようにすることである。また、本考案の他の課題は、サイズの異なる光キャビネットに取り付けることができ、また、作業台上の全面を使用することができる光ファイバーキャビネット用作業台を提供することである。
【課題を解決するための手段】
【０００８】
前記の課題を解決するため本考案は、光ファイバー用のキャビネットと、そのキャビネットを取り付けた壁面との間の隙間を利用して取り付ける着脱式の作業台として、キャビネットの背面と壁面との間の上記隙間に挿し込まれる背面板と、背面板の左右にてキャビネットを取り囲むように設けられた側面板とから成る取り付け枠を有し、ほぼ水平な使用位置と、使用位置から退避位置へ折り畳み可能に、作業台板を、取り付け枠に支軸により取り付け、上記取り付け枠の背面板に、少なくとも大小２種のキャビネットと係合可能な２段の切り欠き部を形成するという手段を講じたものである。
【０００９】
本考案に係る作業台は、光ファイバー用のキャビネットと、そのキャビネットを取り付けた壁面との間の隙間を利用して取り付ける着脱式のものである点、前記文献記載のものと共通している。すなわち、対象とするキャビネットは、壁面に取り付けたときに壁面との間に何らかの隙間を生じるものである。そして、光ファイバー用のキャビネットには幾つかの種類があり、本考案の場合、少なくとも大小２種のキャビネットへの取り付けを可能にすることを、一つの特徴としている。
【００１０】
本考案に係る作業台は、キャビネットの背面と壁面との間の上記隙間に挿し込まれる背面板と、背面板の左右にてキャビネットを取り囲むように設けられた側面板とから成る取り付け枠を有している。言い換えれば、取り付け枠は、キャビネットの背面と左右両側面を囲んでおり、その正面に、後述する作業台板が配置されるものである。この取り付け枠に、上記取り付け枠の背面板に、少なくとも大小２種のキャビネットと係合可能な２段の切り欠き部を形成する。切り欠き部は、キャビネットの背面に設けられている凸状の部分と係合し、取り付け枠を安定に取り付けられる。
【００１１】
上記作業台板は、ほぼ水平な使用位置と、使用位置から退避位置へ折り畳み可能に、取り付け枠に支軸を用いて取り付けられている。作業台板は、その上で光ファイバーの切断や接続などの精密な作業をすることも予定されているので、使用位置ではほぼ水平になることが求められる。これに対して、退避位置は不使用時に、邪魔にならない位置のことであり、作業台板は折りたたまれて使用位置から退避位置に移動する。
【００１２】
作業台板は、横方向の支軸により、同支軸に沿って左右方向へスライド可能に取り付け枠に取り付けられ、作業台板の後部が取り付け枠の前部に接した状態において、作業台板をほぼ水平な使用位置に保つように、作業台板に設けられた短アームを上記支軸に軸支した構成を有していることが望ましい。この場合作業台板を取り付ける支軸の方向は、横方向であり、より具体的に言えば左右方向となる。作業台板は左右方向へスライド可能であるので、どちら側に壁面があっても壁との抵触を避けることができ、かつ、摩擦により、支軸上の任意の位置で停止する。
【００１３】
また、短アームは作業台板と一体に設けられており、その先端で、作業台板を左右にスライドさせる支軸に軸支されているものとする。この短アームは、短寸であることにより、高い剛性を保ち、それによって使用位置において作業をする際の安定性を高め、精度の良い加工や、接続などの作業を行うことを意図している。
【００１４】
作業台板は、横方向の支軸により上方へ跳ね上げ可能に設けられ、かつ、跳ね上げ時に磁石により取り付け枠に固定されるという構成を有することが望ましい。折り畳みが跳ね上げ式になされるので、作業台板の上げ下げによって、簡単に使用状態になり、また、不使用状態に戻すことも容易である。さらに、作業台板には、光ファイバーの接続作業に用いることのできるガイド部や、小物類の落下防止のための立ち上がった縁などを設けることができる。
【考案の効果】
【００１５】
本考案は上記のように構成されかつ作用するものであるから、作業台板を左右にスライドさせて、壁際でも無理なくセットすることができ、かつ、安定して作業をすることができ、また、サイズの異なる光ファイバーキャビネットに取り付けることができるという効果を奏する。本考案によれば、作業台上の全面を使用して、周囲のものに邪魔されることなく、高品質の作業を実現することが可能な光ファイバーキャビネット用作業台を提供することができる。
【考案を実施するための最良の形態】
【００１６】
以下図示の実施形態を参照して、本考案をより詳細に説明する。図１、図２は、本考案に係る光ファイバーキャビネット用作業台１０の１例を示しており、この作業台１０は、大小２種の光ファイバー用のキャビネット１１−１、１１−２の内の小型のキャビネット１１−１に適用した状態を示すものである。これに対して、図３、図４は、大型のキャビネット１１−２に適用した状態を示すものであり、作業台１０の形態はどちらのものも同じである。
【００１７】
本考案に係る光ファイバーキャビネット用作業台１０は、上記した大小２種の光ファイバー用のキャビネット１１−１、１１−２を取り付けてある、壁面Ｗとの間の隙間Ｇを利用して取り付ける着脱式のものである。キャビネット１１−１、１１−２の背面には凸状の部分１２−１、１２−２が設けられており、この凸状の部分１２−１、１２−２は、異なる平面形態を持ち、それによって大小２種類のキャビネット１１−１、１１−２の形態的な差異が区別される。また、これらは凸状であることにより、キャビネット本体と壁面Ｗとの間に隙間Ｇを生じる。
【００１８】
例示した大小２種のキャビネット１１−１、１１−２は、左右の幅が相違し、高さ及び奥行きはほぼ同じである。それゆえに、大型のキャビネット１１-２を基準にして作業台１０の外寸を決めることにより、後述するように、これら大小２種のキャビネット１１−１、１１−２は１種類の取り付け枠１７の中に収まるように設けることができる。
【００１９】
そして、これらの凸状の部分１２−１、１２−２と係合可能な、２段の切り欠き部１３−１、１３−２が背面板１４に２段に形成されており、この背面板１４の部分において、キャビネット１１−１、１１−２と壁面Ｗとの間の上記隙間Ｇに挿し込まれる。２段の切り欠き部１３−１、１３−２は、１枚の背面板１４に上下に位置をずらせて、重ねて設けられている。
【００２０】
背面板１４は、その左右に、キャビネット１１−１、１１−２を取り囲むように設けた側面板１５、１６を有し、背面板１４と左右の側面板１５、１６から成る取り付け枠１７は、平面形状がほぼコの字型に形成されている。また、背面板１４の下方の位置には、壁面Ｗに接する支持片１８ｌ、１８ｒが、側面板１５、１６の後方へ突き出す形で設けられている。
【００２１】
作業台板２０は、図５に実線で示したほぼ水平な使用位置から、同じく図５に鎖線で示した退避位置へ折り畳み可能に、取り付け枠１７に設けた軸受けパイプ１９に支軸２１により取り付けられている。作業台板２０は、横方向の支軸２１により、同支軸２１に沿って左右方向へスライド可能に取り付け枠１７に取り付けられており、作業台板２０の後部２２の縁が取り付け枠１７の前部２３ｌ、２３ｒに接した状態において、作業台板２０をほぼ水平な使用位置に保つように、作業台板２０に設けられた短アーム２５、２６を上記支軸２１に軸支した構成を有する。
【００２２】
短アーム２５、２６は、作業台板２０の後部にそれと一体に設けられており、作業台板２０の後方かつ上方へ向かって突出した形状を有し、その先端部分にて作業台板２０を左右にスライドさせる支軸２１に軸支されている。この短アーム２５、２６は、短尺であることにより、高い剛性を保ち、それによって高品質の作業を行う意図を有することは既に述べたとおりである。
【００２３】
作業台板２０は、横方向の支軸により上方へ跳ね上げ可能に設けられているわけであるが、跳ね上げ状態を保持するために、跳ね上げ時に、磁石を構成する一対の磁気片２７、２８により取り付け枠１７に固定される。すなわち、一対の一方の磁気片２７を作業台板２０に取り付け、他方の磁気片２８は取り付け枠１７の前部２３ｌに取り付けている。これにより、不使用状態において、作業台板２０を跳ね上げると、取り付け枠１７の正面を覆うだけの扁平な状態になり（図５の鎖線図示参照）、邪魔にならない。また、不使用状態に戻すことも容易である。
【００２４】
さらに、作業台板２０には、小物類の落下防止のための立ち上がった縁２４や、光ファイバーＦの接続作業に用いることのできるガイド部２９ｌ、２９ｒなどを設けることができる。立ち上がった縁２４の後部は、図５に示す作業台板２０の展開時に取り付け枠１７の前部２３ｌ、２３ｒに面接触して、安定性向上に寄与する。
【図面の簡単な説明】
【００２５】
【図１】本考案に係る光ファイバーキャビネット用作業台の一例を示すもので、小型のキャビネットに適用した状態を示す正面図。
【図２】図１のものの上面図。
【図３】図１のものを大型のキャビネットに適用した状態を示す正面図。
【図４】図３のものの上面図。
【図５】本考案に係る光ファイバーキャビネット用作業台の一例を示す側面図。
【図６】本考案に係る光ファイバーキャビネット用作業台の一例を示す斜視図。
【符号の説明】
【００２６】
１０  本考案に係る光ファイバーキャビネット用作業台
１１−１  小型のキャビネット
１１−２  大型のキャビネット
１２−１、１２−２  凸状の部分
１３−１、１３−２  ２段の切欠き部
１４  背面板
１５  左側面板
１６  右側面板
１７  取り付け枠
２０  作業台板
２１  支軸
２４  立ち上がった縁
２５、２６  短アーム
２７、２８  磁気片
２９ｌ、２９ｒ  ガイド部
【図１】
0003120109.tif 000003
【図２】
0003120109.tif 000004
【図３】
0003120109.tif 000005
【図４】
0003120109.tif 000006
【図５】
0003120109.tif 000007
【図６】
0003120109.tif 000008